(57)【特許請求の範囲】
【請求項１】
三角形状の保護板と、
前記保護板の下階側端部に設けられ、高さ方向に延びる筒状部材と、
弾性体から構成され、前記筒状部材の下端部を覆うキャップと
を備えているエスカレーター三角部可動保護装置。
【請求項２】
前記キャップとアウターデッキとに渡って設けられた連結部材をさらに備えている請求項１に記載のエスカレーター三角部可動保護装置。
【請求項３】
前記連結部材は、高さ方向に伸縮可能となっている請求項２に記載のエスカレーター三角部可動保護装置。
【請求項４】
前記キャップは、前記筒状部材の下端部に対して着脱可能となっている請求項１から請求項３までの何れか一項に記載のエスカレーター三角部可動保護装置。
【発明の詳細な説明】
【技術分野】
【０００１】
この発明は、三角部に設けられるエスカレーター三角部可動保護装置に関する。
【背景技術】
【０００２】
従来、上階側階床から吊り下げられる三角形状の保護板と、保護板におけるエスカレーターの移動方向についての上階側端部に設けられ、高さ方向に延びる筒状部材とを備えたエスカレーター三角部可動保護装置が知られている（例えば、特許文献１参照）。
【先行技術文献】
【特許文献】
【０００３】
【特許文献１】特開２００３−２０１８６号公報
【発明の概要】
【発明が解決しようとする課題】
【０００４】
しかしながら、保護板が上階側階床から吊り下げられているので、筒状部材は保護板とともにエスカレーターの幅方向に振れる場合がある。筒状部材が幅方向に振れる場合に、筒状部材の下端部は、欄干に衝突して損傷してしまうおそれがあるという問題点があった。
【０００５】
この発明は、筒状部材の下端部が損傷することを抑制することができるエスカレーター三角部可動保護装置を提供するものである。
【課題を解決するための手段】
【０００６】
この発明に係るエスカレーター三角部可動保護装置は、三角形状の保護板と、保護板の下階側端部に設けられ、高さ方向に延びる筒状部材と、弾性体から構成され、筒状部材の下端部を覆うキャップとを備えている。
【発明の効果】
【０００７】
この発明に係るエスカレーター三角部可動保護装置によれば、弾性体から構成され筒状部材の下端部を覆うキャップを備えているので、幅方向に振れて欄干に衝突する場合であっても、キャップが欄干に衝突し、キャップが衝撃を吸収する。これにより、筒状部材の下端部が損傷することを抑制することができる。
【図面の簡単な説明】
【０００８】
【図１】この発明の実施の形態１に係るエスカレーターを示す側面図である。
【図２】図１のエスカレーター三角部可動保護装置を示す拡大図である。
【図３】図２のキャップを示す拡大図である。
【図４】図３のキャップを示す側面図である。
【発明を実施するための形態】
【０００９】
実施の形態１．
図１はこの発明の実施の形態１に係るエスカレーターを示す側面図である。エスカレーターは、下階側階床１と上階側階床２とに渡って設けられた欄干３と、欄干３に設けられた移動手摺４と、上階側階床２と欄干３との間に形成された三角部に設けられたエスカレーター三角部可動保護装置５とを備えている。
【００１０】
図２は図１のエスカレーター三角部可動保護装置５を示す拡大図である。エスカレーター三角部可動保護装置５は、三角形状の保護板５１と、保護板５１におけるエスカレーターの移動方向についての下階側端部に設けられ、高さ方向に延びる筒状部材５２と、弾性体から構成され、筒状部材５２の下端部を覆うキャップ５３と、キャップ５３とアウターデッキとに渡って設けられ、高さ方向に伸縮可能な連結部材５４とを備えている。筒状部材５２は、標準品となっている。キャップ５３を構成する弾性体としては、例えば、ゴムが挙げられる。
【００１１】
図３は図２のキャップ５３を示す拡大図、図４は図３のキャップ５３を示す側面図である。キャップ５３は、有底円筒形状のキャップ本体５３１と、キャップ本体５３１の底部から軸方向であってキャップ本体５３１から離れる方向に突出する突出部５３２とを有している。突出部５３２には、連結部材５４が挿入される貫通孔５３３が形成されている。
【００１２】
突出部５３２の幅方向の寸法Ｌ１は２０ｍｍとなっている。キャップ本体５３１の底部からの突出部５３２の突出する寸法Ｌ２は２０ｍｍとなっている。貫通孔５３３の内壁面の直径の寸法Ｌ３は５ｍｍとなっている。
【００１３】
キャップ本体５３１の軸方向の寸法Ｌ４は６０ｍｍとなっている。キャップ本体５３１の底部から開口部までの寸法Ｌ５は５０ｍｍとなっている。キャップ本体５３１の径方向の寸法Ｌ６は６０ｍｍとなっている。キャップ本体５３１の内壁面の直径の寸法Ｌ７は５１ｍｍとなっている。
【００１４】
次に、エスカレーター三角部可動保護装置５がエスカレーターの幅方向に振れた場合について説明する。屋外に設置されているエスカレーター三角部可動保護装置５には、風などの影響により、エスカレーターの幅方向への力が加えられる場合がある。保護板５１の上端部は上階側階床から吊り下げられ、キャップ５３が連結部材５４を介してアウターデッキに連結されているので、連結部材５４の幅方向の揺れが低減される。
【００１５】
強風などの影響により、エスカレーター三角部可動保護装置５には、エスカレーターの幅方向への大きな力が加えられる場合がある。この場合、連結部材５４が高さ方向に伸長する。これにより、キャップ５３および連結部材５４が損傷することが抑制される。
【００１６】
連結部材５４が高さ方向に伸長すると、筒状部材５２の下端部が欄干３に近づく方向に移動する。筒状部材５２の下端部にはキャップ５３が配置されているので、キャップ５３が欄干に衝突し、キャップ５３が衝撃を吸収する。これにより、筒状部材５２の下端部が損傷することが抑制される。
【００１７】
以上説明したように、この発明の実施の形態１に係るエスカレーター三角部可動保護装置５によれば、三角形状の保護板５１と、保護板５１の下階側端部に設けられ、高さ方向に延びる筒状部材５２と、弾性体から構成され、筒状部材５２の下端部を覆うキャップ５３とを備えているので、エスカレーター三角部可動保護装置５が幅方向に振れて欄干３に衝突する場合であっても、キャップ５３が欄干３に衝突し、キャップ５３が衝撃を吸収する。これにより、筒状部材５２の下端部が損傷することを抑制することができる
【００１８】
また、このエスカレーター三角部可動保護装置５は、キャップ５３とアウターデッキとに渡って設けられた連結部材５４を備えているので、筒状部材５２が幅方向に振れることを抑制することができる。
【００１９】
連結部材５４は、高さ方向に伸縮可能となっているので、強風などの影響により、エスカレーター三角部可動保護装置５には、エスカレーターの幅方向への大きな力が加えられる場合がある。この場合、連結部材５４が高さ方向に伸長する。これにより、キャップ５３および連結部材５４の損傷を抑制することができる。
【００２０】
キャップ５３は、筒状部材５２の下端部に対して着脱可能に設けられているので、キャップ５３に損傷が発生した場合に、損傷が発生したキャップ５３を新しいキャップ５３に容易に交換することができる。
【００２１】
なお、上記実施の形態１では、上階側階床２と欄干３との間に形成された三角部に設けられるエスカレーター三角部可動保護装置５について説明したが、隣接する一対のエスカレーターの間に形成された三角部に設けられるエスカレーター三角部可動保護装置５であってもよい。
【符号の説明】
【００２２】
１  下階側階床、２  上階側階床、３  欄干、４  移動手摺、５  エスカレーター三角部可動保護装置、５１  保護板、５２  筒状部材、５３  キャップ、５４  連結部材、５３１  キャップ本体、５３２  突出部、５３３  貫通孔。
【図１】
0006611674.tif 000002
【図２】
0006611674.tif 000003
【図３】
0006611674.tif 000004
【図４】
0006611674.tif 000005